(57)【要約】  本発明は、アンテナ（Ａ）を支持面（Ｓ）に固定する装置（１）であって、支持面（Ｓ）に当接して配置される台板（２）と、支持面（Ｓ）に作られた下にある開口（５）に通じる固定要素（３）とを備える固定装置（１）である。この固定装置では、固定要素（３）に、第１および第２のセットの突出弾性タブ（８、９）が設けられ、第１および第２のセットの弾性タブ（８、９）は、第１および第２のセットの弾性タブ（８、９）の挿入および続く支持面（Ｓ）に対する台板（２）のシフトを通して、開口（５）内に位置決めされた場合、支持面（Ｓ）の壁（１０）に対する第１のセットの弾性タブ（８）の押し動作および開口（５）の縁に存在する複数の溝（１２）内への第２のセットの弾性タブ（９）の挿入を通して、台板（２）を支持面（Ｓ）にロックするのに適する。
2011512113.tif 000002
【特許請求の範囲】
【請求項１】
支持面（Ｓ）への配置に適した台板（２）と、前記支持面（Ｓ）に作られた下にある開口（５）に通じる固定要素（３）とを備え、前記固定要素（３）には第１のセットの突出弾性タブ（８）が設けられ、前記第１のセットの弾性タブ（８）は、前記台板（２）を支持する壁（１１）に対向する前記支持面（Ｓ）の壁（１０）に対して前記第１のセットの弾性タブ（８）を押す動作を通して、前記台板（２）を前記支持面（Ｓ）にロックするのに適する、アンテナ（Ａ）を前記支持面（Ｓ）に固定する装置（１）であって、前記固定要素（３）に第２のセットの弾性タブ（９）が設けられ、前記第２のセットの弾性タブ（９）は、前記第１および前記第２のセットの弾性タブ（８、９）が前記開口（５）内に収容されて挿入され、続けて、前記台板（２）が前記支持面（Ｓ）上で移動した場合、前記開口（５）の縁に存在する複数の溝（１２）内に挿入されることを特徴とする、固定装置。
【請求項２】
前記固定要素（３）が前記台板（２）とは別個であり、前記台板（２）への配置に適したフランジ（６）を備え、前記固定要素（３）に、前記台板（２）に作られる複数の穴（４）と協働する前記第１および第２のセットの弾性タブ（８、９）が設けられることを特徴とする、請求項１に記載の固定装置（１）。
【請求項３】
前記フランジ（６）が実質的に円形の周縁を有すること、および前記複数の穴（４）が、前記フランジ（６）の半径と少なくとも同じ長さの半径の円の円周に沿って前記台板（２）に作られることを特徴とする、請求項２に記載の固定装置。
【請求項４】
前記第１のセットの弾性タブ（８）の各弾性タブが、丸められた頂点（１３）が前記開口（５）に面した状態の実質的にＶ字形の形状を有し、前記フランジ（６）に接続された第１の枝部（８１）と、自由端（８３）を有し、前記第１の枝部（８１）よりも短く、前記フランジ（６）の周縁から突出する第２の枝部（８２）とを備えることを特徴とする、請求項２または３に記載の固定装置。
【請求項５】
前記第１のセットの弾性タブ（８）の各弾性タブの前記第２の枝部（８１）の前記自由端（８３）が、前記フランジ（６）がある平面（π）に対して傾斜することを特徴とする、請求項４に記載の固定装置。
【請求項６】
前記傾斜した自由端（８３）が、前記弾性タブ（８）の前記第２の枝部（８２）の側縁（２０）と一緒に、頂角（１４）が前記支持面（Ｓ）に対する前記固定要素（３）の回転方向（Ｒ）に面する鈍角（α）を画定することを特徴とする、請求項５に記載の固定装置。
【請求項７】
前記第２のセットの弾性タブ（９）の各弾性タブが、丸められた頂角（１５）が前記開口（５）に面する実質的にＶ字形の形状を有し、前記フランジ（６）に接続された第１の枝部（９１）と、自由端（９３）を有し、前記第１の枝部（９１）と少なくとも同じ長さを有し、前記フランジ（６）の周縁から突出する第２の枝部（９２）とを備えることを特徴とする、請求項２〜６のいずれか一項に記載の固定装置。
【請求項８】
前記第２のセットの弾性タブ（９）の各弾性タブが、前記回転方向（Ｒ）に従って前記第１のセットの弾性タブ（８）の少なくとも１つの弾性タブにより先行される
ことを特徴とする、請求項６に記載の固定装置。
【請求項９】
前記台板（２）に作られた前記複数の穴（４）が、前記第１のセットの弾性タブ（８）の収容に適した第１の穴（４１）と、前記第２のセットの弾性タブ（９）の収容に適した第２の穴（４２）とを備え、前記第１の穴（４１）が前記第２の穴（４２）よりも狭く、それにより、前記第１のセットの弾性タブ（８）の各弾性タブが、前記第１の穴（４１）の１つに挿入される際に圧縮され、前記第１の穴（４１）を通過した後には自然な位置に戻ることを特徴とする、請求項１〜８のいずれか一項に記載の固定装置。
【請求項１０】
前記開口（５）が、前記第１のセットの弾性タブ（８）の弾性タブの数に等しい前記複数の溝（１２）のうちのいくつかの溝により違いに離間される円（５１）の複数の弧により画定される周縁を有する形状を有することを特徴とする、請求項１〜９のいずれか一項に記載の固定装置。
【請求項１１】
請求項１〜１０のいずれか一項に記載の特徴を有する固定装置（１）によりアンテナ（Ａ）を組み付ける方法（１００）であって、以下の動作：
ａ）前記台板（２）を前記固定要素（３）と一緒に前記支持面（Ｓ）上に配置し、それにより、前記第１のセットの弾性タブ（８）の各弾性タブが前記溝（１２）内に挿入され、前記第２のセットの弾性タブ（９）の各弾性タブが前記支持面（Ｓ）の前記開口（５）の縁により圧縮されること、
ｂ）前記台板（２）を前記固定要素（３）と一緒に前記支持面（Ｓ）上で移動させ、それにより、前記第１のセットの弾性タブ（８）の各弾性タブの、前記第２の枝部（８２）の高さで傾斜した前記自由端（８３）が、前記台板（２）に対向する前記支持面（Ｓ）の壁（１０）に対して押す動作を及ぼし、前記支持面（Ｓ）に直交する方向に沿った前記台板（２）の移動をロックし、前記第２のセットの弾性タブ（９）の各弾性タブが、前記複数の溝（１２）のうちの１つ内に配置され、部分的に延出して、前記支持面（Ｓ）上での前記台板（２）の水平移動をロックすること
を含むことを特徴とする、方法。
【発明の詳細な説明】
【技術分野】
【０００１】
本発明は、自動車両の本体により構成されることが多い支持面にアンテナを固定するのに特に適した固定装置に関する。
【背景技術】
【０００２】
本発明は、本発明の主旨である固定装置により、上記アンテナを支持面上に組み付ける方法にも関する。
【０００３】
通常、ラジオ局放送作業、モバイル電話、または他の用途のような用途のために信号を送受信するアンテナが自動車両に装備されることが既知である。
【０００４】
上記アンテナは、自動車両の様々な箇所に配置することができるが、大半の場合、自動車両の天井に位置決めされ、固定手段を介して取り付けられる。
【０００５】
通常、固定手段は台板により構成され、台板上にアンテナが配置され、上記板は、1つまたは複数のネジにより車両の本体に取り付けられる。
【０００６】
設置中、台板は車両の本体の、ネジが通らなくてはならない開口の高さの箇所に位置決めされ、ネジが締められるまでこの位置に保持される。
【０００７】
この実施形態ははっきりと、設置者が、ネジを締めている間、アンテナを所定位置に維持しなければならないため、アンテナを設置するために必要な操作を快適に実行できないことにより構成される、認識されている欠点を明確に示す。上記欠点を解消するために、車両の本体に存在する貫通口に嵌合する整形弾性体を備えることをすべて特徴とする、アンテナを固定する装置の様々な実施形態が実行されてきた。
【０００８】
特に、（特許文献１）には、自動車両の天井に作られた開口内に挿入される突出要素が設けられた台板からなる、アンテナの固定装置が記載されている。
【０００９】
この固定装置には、上記突出要素内に作られた特別なキャビティ内に挿入される少なくとも２つの側翼を備える固定要素も設けられる。
【００１０】
上記固定要素は、車両の天井の内面から出ると共に、車両の天井の内面に入る縦展開軸に従って曲げられる弾性タブと共に各側壁に設けられ、上記タブは、アンテナが天井開口内に挿入される際に圧縮され、台板が抜け落ちるのを防ぐように、開口を超えると原形に戻る。
【００１１】
アンテナを固定する装置を記載するさらなる文献は（特許文献２）である。
【００１２】
この場合でも、上記固定装置は、自動車両の天井に作られた開口内に挿入される突出要素が設けられた台板からなる。
【００１３】
前の事例と異なり、上記固定装置は、上記突出要素に接続され、２種類の弾性タブを備えるワッシャ形要素も備える。
【００１４】
第1の種類のタブは、ワッシャ形要素を固定装置の台板上にロックすることを可能にし、第２の種類のタブは、車両の天井の内面に対向して、事前固定動作を実行する。
【００１５】
さらに、（特許文献３）には、固定要素が取り付けられる台板を備え、上記固定要素が、四面すべて上に１種類のみの弾性タブで構成される平行六面体の形状を有するアンテナの固定装置が記載される。
【００１６】
最後に、（特許文献４）には、アンテナ筐体に取り付けられ、自動車両のパネル形成部内に設けられた取付開口の周縁の背後に配置するための少なくとも２つの弾性要素が設けられた固定クリップが設けられた、自動車両天井アンテナの片手用取付装置が記載されている。取付開口は非円形を有し、固定クリップの弾性要素のそれぞれは、軸受け突起が開口縁部の後部に対して作用して、開口に対して固定クリップが動かないように、開口を通して挿入された後、外側に付勢される。
【００１７】
上記文献に記載されている４種類の固定装置はすべて、本明細書において以下に列挙する多数の欠点を呈する。
【００１８】
第１の欠点は、上記４種類の固定装置に存在する弾性タブが、ナットまたはネジにより内側から永続的に連続して固定されるアンテナを事前固定するように機能するだけであることである。
【００１９】
特に、（特許文献３）に記載の固定装置に関しては、固定要素の弾性タブと天井の内面との間にいくらかの遊びがあり得ることにより、アンテナが安定かつ確定的に固定されない恐れがある。
【００２０】
弾性タブが天井との安定かつ連続した接触を保証しないことによる別の重要な欠点は、アンテナと車両の天井との間の電気的導通が最適ではないことにより表される。
【００２１】
上述した最初の２つの固定装置においてより明確なさらなる欠点は、弾性タブが車両の天井に対する固定装置の回転、最終的にはアンテナの回転を防止できないことである。
【００２２】
上述した３番目の文献に記載されている固定装置は、上記固定要素が、車両の天井に作られた開口内部での回転を阻止する平行六面体形状を有することのみにより、上記欠点を呈さない。
【先行技術文献】
【特許文献】
【００２３】
【特許文献１】欧州特許第１７９２３６１号明細書
【特許文献２】米国特許出願第２００４／１８３７３４号明細書
【特許文献３】欧州特許第１５８５１８５号明細書
【特許文献４】独国特許第１０２１０６２８号明細書
【発明の概要】
【発明が解決しようとする課題】
【００２４】
本発明は、上に列挙した欠点を解消することを目的とする。
【００２５】
特に、本発明の目的は、内側から介入する必要なく、専ら外側から作業することにより、アンテナを車両の天井にロック可能な固定装置を提供することである。
【００２６】
本発明の第２の目的は、アンテナを車両の天井に対して直交する軸の方向および天井に対するアンテナの回転方向の両方に従ってアンテナを永続的にロック可能な、アンテナの固定要素を提供することである。
【００２７】
本発明のさらなる目的は、既知の技術の固定装置と比較して、アンテナと車両の天井との間のよりよい電気的導通およびよりよい安定性を保証する固定装置を提供することである。
【００２８】
本発明の別の目的は、構築が単純であり、特別な工具を使用せずに簡単で直観的な操作で適用可能であるのと同時に、アンテナを安定して永続的に固定可能な、アンテナの固定装置を提供することである。
【００２９】
本発明のさらなる少なからぬ目的は、既知の技術の固定装置と比較して、特別な工具を使用せずに車両の天井からのアンテナの取り外しをより単純にすることが可能な固定装置を提供することである。
【課題を解決するための手段】
【００３０】
上記目的は、主請求項に示される特徴を有する固定装置により達成される。
【００３１】
本発明は、本発明の主旨である固定装置によりアンテナを固定する方法も含む。
【００３２】
本発明の主旨である固定装置のさらなる特徴は、従属請求項に記載される。
【００３３】
有利なことに、本発明の主旨である固定装置は、アンテナを車両の天井に組み付けるために必要な時間を低減すると共に、この操作に必要な人員数も低減することを可能にする。
【００３４】
さらに有利なことに、本発明の固定装置により、車両の天井からのアンテナの取り外しもより容易になる。
【００３５】
さらなる利点が、本発明の固定装置が限られた数の構成要素で構成されることにより表され、それにより、製造がより容易になると共に、より経済的になる。
【００３６】
上述した目的および利点、ならびにさらに詳細に後述する他の利点が、添付図面を参照して、本明細書において非限定的な例として提供される本発明の好ましい実施形態の説明において強調される。
【図面の簡単な説明】
【００３７】
【図１】本発明により実行される固定装置の分解組立不等角投影図である。
【図２】本発明により実行される固定装置の不等角投影図である。
【図３】本発明の固定装置によりアンテナを組み付ける方法の動作ｂを示す。
【図４】本発明の固定装置によりアンテナを組み付ける方法の動作ｃを示す。
【図５】本発明の主旨である固定装置に属する固定要素の不等角投影図である。
【図６】すべて固定要素に属する第１のセットの弾性タブの断面図を示す。
【図７】すべて固定要素に属する第２のセットの弾性タブの断面図を示す。
【図８】本発明の主旨である固定装置により車両の天井に設置されたアンテナを示す。
【発明を実施するための形態】
【００３８】
本発明の主旨である固定装置の全体が図１および図２に示され、１で示される。
【００３９】
本発明の固定装置１が、アンテナＡを支持面Ｓ、例えば、図８に示すように、自動車両の天井に永続的にロックすることに特に適することを観察することができる。
【００４０】
図１に示すように、固定装置１は、上記支持面Ｓ上に配置される台板２を備えると共に、アンテナＡを車両の天井にロックするように、支持面Ｓに作られた下にある開口５に通じる固定要素３も備える。
【００４１】
特に、図５に示すように、固定要素３は、第１のセットの弾性タブ８を支持面Ｓの壁１０、台板２を支持する壁１１に対して押し込む動作、および第２のセットの弾性タブ９を上記開口５の縁に存在する複数の溝１２内に挿入することを通して、台板２を支持面Ｓにロックできるようにする第１および第２のセットの弾性タブ８および９を備える。
【００４２】
ロック動作は、第１および第２のセットの弾性タブ８および９が開口５を通して支持面Ｓ内に挿入され、続けて台板２が同じ支持面Ｓに相対して移動した場合に得られる。
【００４３】
本明細書において説明され図示される本発明の特定の実施形態では、固定要素３は台板２とは別個であり、上記第１および第２のセットの弾性タブ８および９の展開元であるフランジ６を備える。
【００４４】
上記フランジ６は、支持面Ｓに対向する壁７の高さで同じ台板２上に置かれるように配置される。
【００４５】
このため、固定要素３は、第１および第２のセットの弾性タブ８および９が上記穴４内に挿入され、続けて、壁７に対向する同じ台板２の壁２１の高さに配置されるように、台板２に作られた複数の穴４と協働する。
【００４６】
本明細書において説明しない本発明の異なる実施形態では、固定要素３、特にフランジ６を、一般的なロック手段を介して壁２１の高さで台板２に永続的に接続してもよい。
【００４７】
この場合、第１および第２のセットの弾性タブ８および９はすでに開口５に面しているため、複数の穴４の存在は必須ではない。
【００４８】
本発明のさらなる実施形態では、本発明の固定装置１は、壁２１の高さに延びた固定要素３を有する台板２を識別可能な単体からなってもよく、上記固定要素３は第１および第２のセットの弾性タブ８および９を備える。
【００４９】
したがって、この実施形態によれば、固定要素３は台板２上に配置されるフランジ６を含まない。
【００５０】
本明細書において説明する特定の実施形態を再び参照すると、図５に示すように、固定要素３のフランジ６は実質的に円形の周縁を有し、周縁から、上記第１および第２のセットの弾性タブ８および９が延びる。
【００５１】
特に、第１のセットの弾性タブ８の各弾性タブは実質的にＶ字形の形状を有し、組み立てられると、弾性タブの丸くなった頂点１３は、図６に示すように、支持面Ｓに作られた開口５に面する。
【００５２】
上記弾性タブ８は、フランジ６に接続された第１の枝部８１と、上記第１の枝部８１よりも短く、自由端８３を有する第２の枝部８２とを含む。
【００５３】
さらに、図６に示すように、第１のセットの弾性タブ８の各タブの第２の枝部８２は、フランジ６の周縁から突出する。
【００５４】
上記第２の枝部８２の自由端８３は、図５から分かるように、フランジ６がある平面πに対して傾斜する。
【００５５】
特に、これら弾性タブ８の第２の枝部８２の自由端８３は、２つの側縁２０のうちの一方と鈍角αを画定し、その頂角１４は、図５の矢印で示され、さらに詳細に後述するように、支持面Ｓに対する固定要素３の回転方向Ｒに面する。
【００５６】
第２のセットの弾性タブ９に属する弾性タブに関しても、本明細書において説明する実施形態では、図７において観察できるように、Ｖ字形の形状を有し、丸められた頂角１５は、支持面Ｓに作られた開口５に面する。
【００５７】
さらに、第１のシリーズ８のタブと同様に、第２のシリーズ９のタブでも、フランジ６に接続された第１の枝部９１の存在およびフランジの周縁から突出し、自由端９３を有する第２の枝部９２の存在を観察することが可能である。
【００５８】
しかし、前のケースと異なり、第２のセットの弾性タブ９の第２の枝部９２は、図２に示され、よりよく後述するように、自由端９３が台板２に作られた複数の穴４のうちの１つの穴により構成されるように、少なくとも第１のセットの弾性タブ８の第２の枝部８２と同じ長さを有する。
【００５９】
本明細書において説明されず図示されない本発明の異なる実施形態では、第２のセットの弾性タブ９は、フランジ６から直接延びず、第１のセットの弾性タブ８の弾性タブのそれぞれ１つの第１の枝部８１から、または第２の枝部８２に端を発し、上述した実施形態のように、自由端９３が台板２に面するように実質的にＬ字形の形状を有してもよい。
【００６０】
本発明によれば、本発明の固定装置１のすべての実施形態において、第２のセットの弾性タブ９に属する各弾性タブは、支持面Ｓ上の台板２の特定のシフト方向に従って第１のセット８のうちの少なくとも１つの弾性タブに先行されなければならず、本明細書において説明され図示される第１の実施形態では、特定のシフト方向は、図５において矢印で示すように、上述した回転方向Ｒに一致する。
【００６１】
上記の理由については、本発明の主旨である固定装置１によりアンテナＡを組み付ける方法１００の説明において詳細に説明する。
【００６２】
本明細書において説明する本発明の特定の実施形態では、第２のセット９の各弾性タブは、第１のセット８に属する２つの弾性タブに先行される。特に、図５に示すように、本明細書において説明する実施形態では、固定要素３は、第２のセットの弾性タブ９のうちの２つの弾性タブを有し、それら弾性タブは、第１のセットの弾性タブ８に属する２つのタブにより、２つの方向のうちのそれぞれにおいて互いに隔てられる。
【００６３】
本発明の異なる実施形態では、第２のセットの弾性タブ９の各弾性タブに先行する第１のセット８の単一の弾性タブがあり得る。
【００６４】
本発明のさらなる構造変形では、第２のセット９の各弾性タブに先行する第１のセット８の３つ以上の弾性タブがあり得る。
【００６５】
一般に、第２のセット９の弾性タブ数は２と異なってもよく、したがって、第１のセットの弾性タブ８に属する弾性タブ数も４と異なってもよい。
【００６６】
結合動作を保証するために、第２のセット９の１つの弾性タブの後に、支持面Ｓ上の上記台板２の特定のシフト方向において続く、第１のセットの弾性タブ８に属する１つのタブで構成される少なくとも１対が絶対になければならない。
【００６７】
図１に示すように、台板２の複数の穴４は、円周Ｃに沿って作られ、円周Ｃの半径は、第１および第２のセットの弾性タブ８および９を快適に内部に挿入できるように、フランジ６の半径と少なくとも同じ長さである。
【００６８】
特に、複数の穴４は、第１のセットの弾性タブ８の収容に適した第１の穴４１と、第２のセット９に属する弾性タブを挿入するための第２の穴４２とを備える。
【００６９】
図１に示すように、第１の穴４１は第２の穴４２よりも狭く、このようにして、第１のセットの弾性タブ８の各タブは、穴４１を通して挿入される際に圧縮され、同じ穴４１を通過し終えた際に自然な位置に戻る。
【００７０】
この特徴により、第１の弾性タブ８の各タブは、一時的な場合であっても、板自体に直交する方向での台板２の固定要素３の移動を止めることができる。
【００７１】
異なる方法では、図１に示すように、第２のセットの弾性タブ９に属する各弾性タブの第２の枝部９２は、上述したように、台板２上の固定要素３の回転を阻止するように、第２の穴４２のそれぞれ内部に拘束される。
【００７２】
本明細書において説明する実施形態では、支持面Ｓ上に配置された台板２の壁２１上に、特に、上記第１の穴４１のそれぞれの高さに、固定要素３が台板２内に挿入される場合、第１のセットの弾性タブ８に属する各弾性タブの自由端８３を押す第１の突出要素１６がある。
【００７３】
異なる構造変形では、第１のセット８の弾性タブの自由端８３が支持面Ｓを押し、それにより、支持面Ｓ上に台板２をロックする場合、上記突出要素１６がなくてもよい。
【００７４】
図３に見られるように、台板２の壁２１上には常に、複数の穴４が設けられない円Ｃの弧の高さに、台板２が支持面Ｓ上に配置される瞬間に開口５の縁５１を押すのに適した第２の突出要素２２がある。
【００７５】
上記第２の突出要素２２の存在により、本発明の固定装置１全体が、支持面Ｓと固定装置１との間に生じ得る任意の遊びにより、支持面Ｓに相対するわずかな位置変更を受けることが回避される。図２に示すように、台板２は、支持面Ｓに対向する壁７の高さに突起１７も備える。
【００７６】
上記突起１７には、本明細書には示されないが、アンテナＡと自動車両内部との電気接続を通過させる穴１８が設けられる。
【００７７】
本明細書において説明され図示される構造変形では、突起１７の形状は円柱形である。
【００７８】
図２に示すように、明らかに、台板２と結合できるようにするために、固定要素３はフランジ６上に、固定装置１全体内に電気接続を通過させるように、周縁が突起１７の形状に一致する穴１９を設けなければならない。
【００７９】
最後に、本明細書において説明され、図１に示される特定の実施形態では、支持面Ｓに作られた開口５は、周縁が、複数の溝１２により互いに離間された円５１の複数の弧により画定される形状を有する。
【００８０】
特に、開口５の縁に設けられる溝１２の数は、本発明の固定装置１によりアンテナＡを組み付ける方法１００の説明において詳細に説明するように、第１のセットの弾性タブ８に属する弾性タブの数に一致する。
【００８１】
本明細書において説明される実施形態では、図２に示すように、アンテナＡを構成する回路を位置決めする手段２３が、台板２の壁７に設けられる。
【００８２】
本発明の異なる実施形態では、上記位置決め手段２３は、特定の設計要件を満たすために、固定要素３のフランジ６に直接設けることができる。
【００８３】
本発明の第２の実施形態によれば、固定要素３のフランジ６は、矩形の形状を有し得る。
【００８４】
この場合、第１および第２のセットの弾性タブ８および９の両方に属する弾性タブは、本明細書においてさらに詳細に後述するように、上記形状の一対の平行する辺の高さに専ら延びる。
【００８５】
したがって、この実施形態でも、複数の穴４を、上記フランジ６の周縁に実質的に一致する矩形周縁に沿って台板２に作らなければならない。
【００８６】
最後に、支持面Ｓに作られた開口５は矩形の形状を有さなければならず、複数の溝１２が、台板２が支持面Ｓ上に配置された場合、固定要素３に存在する第１のセットの弾性タブ８のすべてのタブを圧縮せずに収容するように、一対の平行する辺上に専ら存在する。
【００８７】
さらに、複数の溝１２が設けられない開口５の２辺は、タブが設けられないフランジ６の２辺と実質的に同じ長さである。
【００８８】
逆に、複数の溝１２が設けられた開口５の辺は、第１および第２のセットの弾性タブ８および９の両方のタブがあるフランジ６の辺よりも長くなければならない。
【００８９】
特に、上記長さは、少なくとも第１のセット８に属する弾性タブの幅だけ、フランジ６の辺の長さを超えなければならない。
【００９０】
この理由については、本発明の第２の実施形態を参照して固定方法１００の説明において詳細に説明する。
【００９１】
上記第２の実施形態の説明を締めくくるために、台板２のサイズが、本発明の主旨である固定装置１のサイズと比較して過度に大きい場合、支持面ＳへのアンテナＡの適切なロックを保証するには、固定装置１だけでは不十分であり得ることに留意されたい。
【００９２】
したがって、上記壁２１への結合の保証に適したさらなる要素を設ける必要があり、上記要素は、例えば、実質的にＬ字形の形状を有し得る。
【００９３】
この場合、台板２が支持面Ｓ上に配置された際に、上記結合要素を挿入できるように、さらなる開口を支持面Ｓに作る必要がある。
【００９４】
上記第２の開口の形状は、内部に挿入される結合要素のベース以上であるべきである。
【００９５】
この特定の構造の理由についても、固定装置の第２の実施形態を参照してアンテナＡを組み付ける方法の説明において明らかになる。
【００９６】
本発明の固定装置１を構成する要素の説明から明らかなように、上記固定装置１によりアンテナＡを組み付ける方法１００も革新的であるように思われる。
【００９７】
特に、本発明の固定装置１によりアンテナＡを組み付ける方法１００は、本明細書において後述する動作を含む。
【００９８】
固定要素３が台板２とは別個の本明細書において説明され図示される実施形態の場合、第１の動作は、固定要素３を台板２に配置し、図２に示すように、第１および第２のセット８および９の各弾性タブを対応する穴４１および４２に挿入するように機能する。
【００９９】
さらに詳細には、既に述べたように、第１のセットの弾性タブ８の弾性タブは、第１の穴４１内に挿入される際、圧縮され、それから、穴４１を通過し終えると、第２の枝部８２が第１の枝部８１よりも短いことにより、元の位置に戻る。
【０１００】
上記結合は、同じ台板２に直交する方向において台板２上の固定要素３の移動を停止させることを可能にし、上記固定要素３の脱落を防ぐ。
【０１０１】
第２のセット９に属する弾性タブに関して、弾性タブは対応する第２の穴４２内に挿入され、第２の枝部９２は少なくとも第１の枝部８２と同じ長さであるため、穴内に拘束され、固定要素３が上記台板２に相対して回転しないようにする。
【０１０２】
この動作は、上述したように、固定要素３を壁２１の高さで台板に拘束しなければならない実施形態では明らかに異なる。
【０１０３】
さらに、本発明の固定装置１が単体で構成される場合、すぐ上で述べた第１の動作を行ってはいけない。
【０１０４】
この時点で、ａとして示され、図３に示される上記方法１００の第１の基本動作は、台板２を固定要素３と一緒に支持面Ｓ上に位置決めし、第１のセットの弾性タブ８の弾性タブを開口５の縁に存在する対応する溝１２内に挿入することである。
【０１０５】
それに代えて、図３に示すように、第２のセット９の弾性タブに関して、弾性タブは圧縮されて開口５の縁を押し、上記台板２が支持面Ｓ上に完全に静止したときに同じ位置のままである。
【０１０６】
フランジ６および開口５の両方が実質的に円形の形状である、上述した第１の実施形態の場合、アンテナＡを本発明の固定装置１により確定的に固定するために、第２の動作ｂを実行する必要があり、第２の動作ｂにより、図４に示すように、台板２は固定要素３と一緒に前に定義した回転方向Ｒに回転する。
【０１０７】
実際には、アンテナＡを、第１のセット８に属する各弾性タブの自由端８３が、第２の枝部８２の側縁２０と一緒に鈍角αを画定する側に向けて回転させる必要がある。
【０１０８】
この動作中、固定アンテナＡを安定し長期持続するように固定するために不可欠な２つの状態が得られる。
【０１０９】
回転後に得られる第１の状態は、第１のセットの弾性タブ８に属するタブの傾斜した自由端８３および対応する突出要素１６が、溝１２を超えて進み、支持面Ｓの両側を押し、アンテナＡが上記支持面Ｓに直交する方向において移動しないようにすることである。
【０１１０】
特に、傾斜した自由端８３の存在により、自由端８３が支持面Ｓに対する摩擦により永続的にロックされるまで、台板２を固定要素３と一緒に回転させることが可能である。
【０１１１】
上記回転中に発生する第２の不可欠な状態は、図４に示すように、上述した回転方向Ｒに従って第１のセットの弾性タブ８に属する少なくとも１つのタブに先行される第２のセット９の各弾性タブが、溝１２内部に位置決めされ、部分的に元の拡張を取り戻すことである。
【０１１２】
このようにして、第２のセット９に属する各弾性タブは溝１２により拘束され、それにより、アンテナＡが本発明の固定装置１と一緒に支持面Ｓに相対して回転することを不可能にする。
【０１１３】
フランジ６および開口５の両方が実質的に矩形の形状を有する第２の実施形態の場合、動作ｂは、台板２を支持面Ｓに対して回転させること含むことに代えて、上述したように、支持面Ｓの開口５がフランジ６よりも大きな方向において、同じ台板２を並進移動させることを含む。
【０１１４】
この場合でも、第１のセットの弾性タブ８のタブの自由端８３は、支持面Ｓを押し、第２のセット９の弾性タブは溝１２内部に位置決めされ、部分的に元の拡張を取り戻し、直前に実行された返信移動を防ぐ。
【０１１５】
さらに、この第２の実施形態では、上述したように、台板２のサイズが、固定装置１だけでは、支持面Ｓ上にアンテナＡ全体をロックするには不十分なようなものである場合、同じ支持面Ｓに作られたさらなる開口内への導入に適した実質的にＬ字形の形状のさらなる結合要素を追加することが可能である。
【０１１６】
台板全体が上記支持面Ｓ上で並進移動する場合、上記結合要素のベースは、自由端８３のように壁１０を押して、上記結合要素周囲の領域での支持面Ｓ上でのアンテナＡの垂直移動をロックする。
【０１１７】
組み付け方法１００の説明では、無線周波アンテナＡを本発明の固定装置１上に組み付ける動作については省略する。
【０１１８】
上記組み付けは明らかに、必ずしもではないが好ましくは、同じ方法１００のａにより示される動作前に実行されなければならない。
【０１１９】
既に述べたように、上述した固定装置１の両実施形態では、支持表面ＳからのアンテナＡの取り外しもより単純である。
【０１２０】
実際には、取り外し方法の動作は、車両の内部から、第２のセット９に属する弾性タブの圧縮、続けて、組み付け中に実行される移動とは逆の方向での同じアンテナＡの、実施形態に依存する回転または並進移動を含む。
【０１２１】
これにより、アンテナＡを支持面Ｓから解放し、同面から取り外すことが可能になる。
【０１２２】
気付くことができるように、上記取り外し技法は、いかなる特別な工具も使用する必要がなく、操作を素早く直観的なものにする。
【０１２３】
したがって、上記によれば、本発明の固定装置１および本発明の固定装置１によりアンテナＡを組み付ける方法１００が、設定した目的をすべて達成することが明らかである。
【０１２４】
特に、本発明は、内側から介入する必要なく、専ら外側から作業することにより、車両の天井にアンテナをロック可能な固定装置を提供する目的を達成する。
【０１２５】
本発明は、車両の天井に対して直交する軸の方向および天井に対するアンテナの回転方向の両方において、上記アンテナを永続的にロック可能なアンテナの固定装置を提供する目的も達成する。
【０１２６】
本発明は、既知の技術の固定装置と比較して、アンテナと車両の天井とのよりよい電気接続性およびより高い安定性を保証する固定装置を提供する目的も達成する。
【０１２７】
本発明は、構築が単純であり、特別な工具を使用せずに簡単で直観的な動作で適用可能であり、同時に、アンテナを安定し永続的に固定可能なアンテナの固定装置を提供する目的も達成する。
【０１２８】
本発明は、既知の技術の固定装置と比較して、特別な工具を使用せずに車両の天井からアンテナをより容易に取り外し可能な固定装置を提供するさらなる目的も達成する。
【０１２９】
実施に際して、本発明の主旨である固定装置および組み付け方法は、本明細書において図示または説明されないが、それにも関わらず本特許により包含されるべき変更を、その変更が以下の特許請求の範囲内にある場合、受けることが可能である。
【０１３０】
特許請求の範囲内に示される技術的特徴の後に参照が続く場合、これらは、特許請求の範囲自体の理解を助けるためにのみ追加されたものであり、したがって、上記参照は、例としてのみ識別する各要素に認められる保護範囲に対していかなる限定効果も有さない。
【図１】
2011512113.tif 000003
【図２】
2011512113.tif 000004
【図３】
2011512113.tif 000005
【図４】
2011512113.tif 000006
【図５】
2011512113.tif 000007
【図６】
2011512113.tif 000008
【図７】
2011512113.tif 000009
【図８】
2011512113.tif 000010
【国際調査報告】
2011512113.tif 000011
2011512113.tif 000012
2011512113.tif 000013